(57)【要約】【課題】  壁際から離れた床面の塵を掃き飛ばさないものでありながら、壁際床面を確実に清掃することができる電気掃除機を提供する。【解決手段】  床面３を走行可能な掃除機本体１に、幅方向Ｘの両端部が掃除機本体１の幅方向両端からはみ出す大きさの吸口ベース２を床面３の走行を可能に連結する。吸口ベース２には、横軸線を有する回転ブラシ１３を収容し、このブラシ１３によって前方に掻き上げた床面３の塵を吸引口１１で吸引して排出する。回転ブラシ１３の軸方向両端部に当該回転ブラシ１３と同時に回転する壁際ブラシ２４を設け、これら壁際ブラシ２４の列状の床面清掃刷毛部２４ｂ２を壁際ブラシ軸２４Ａの回転方向の進み位置から遅れ位置に変位する傾斜線Ｃ２上に設けて、床面３の塵を回転ブラシ１３に向けて寄せ集める。【選択図】    図２
2005245916.tif 000002
【特許請求の範囲】
【請求項１】
床面を走行可能な掃除機本体と、吸入した空気の空気流に乗せて塵を吸い上げて集塵する吸口ベースとを備え、
前記吸口ベースは、前記掃除機本体と共に床面を走行し、かつ、走行方向に直交する幅方向の両端部が前記掃除機本体の幅方向の両端から突出する大きさを有し、この吸口ベースは、概ね水平な軸線のまわりに回転しながら床面に接触して当該床面の塵を前方に掻き上げる回転ブラシと、この回転ブラシを前記軸線のまわりに回転させる駆動機構と、前記回転ブラシで床面から前方に掻き上げられた塵を空気流に乗せて塵の吸引口に導く流体通路とを備えている電気掃除機において、
前記吸口ベースには、該吸口ベースの少なくとも幅方向の一端から幅方向の外側に突出すると共に、前記駆動機構によって前記軸線のまわりに回転する壁際ブラシが設けられていることを特徴とする電気掃除機。
【請求項２】
請求項１において、前記壁際ブラシは前記軸線に沿って設けられた軸部を有し、
前記軸部の外周には、該軸部の径方向の外方に向って延設された１ないし複数の刷毛部と、前記軸部の周方向において前記刷毛部に隣接する無毛部とが設けられ、
前記刷毛部は、前記床面に接触する状態において、前記軸部の軸方向の基端部から外端部に近づくに従って、前記軸部の回転方向の遅れ位置から進み位置に配置されるように斜めに設けられていることを特徴とする電気掃除機。
【請求項３】
請求項１もしくは２において、前記吸口ベースの幅方向の略中央部に、前記塵の吸引口と、空気を導入する導入部とが設けられ、
前記導入部から導入された空気を前記吸口ベースの両端部に導いた後、前記流体通路に導くダクトが設けられ、
前記ダクトを流れた空気が前記両端部においてＵターンするように向きを変えた後、前記流体通路の両端部から前記吸口ベースの幅方向の略中央部に設けられた前記塵の吸引口に向って流れるようにしたことを特徴とする電気掃除機。
【請求項４】
請求項１、２もしくは３において、前記吸口ベースにおける前記壁際ブラシの前側には、当該壁際ブラシで床面から掻き上げられた塵の浮き上がりを許容するとともに、浮き上がった塵が前記流体通路に導かれるのを許容する許容凹所が前記吸口ベースの下面に形成されていることを特徴とする電気掃除機。
【発明の詳細な説明】
【技術分野】
【０００１】
本発明は電気掃除機に関し、特に、壁際床面を確実に清掃することができる電気掃除機に関するものである。
【背景技術】
【０００２】
従来より、吸口ベースに収容された水平軸線まわりに回転する回転ブラシによって、床面の塵を前方に掻き上げるとともに、掻き上げられた塵を吸引空気流に混合して集塵部に吸い込み、ここで塵を捕集し、吸引空気流のみを機外に排気するように構成した電気掃除機がある（たとえば、特許文献１）。
【０００３】
【特許文献１】特開２０００−２１０２３４号公報（図１）
【０００４】
ところが、特許文献１の電気掃除機では、幅方向寸法の大きい吸口ベースに回転ブラシが収容されているので、壁際床面の清掃に際しては、吸口ベースの幅方向一端が壁面に当接して、壁際床面に対する回転ブラシの接触が妨げられる。このため、回転ブラシによって壁際床面を清掃することができない。
【０００５】
そこで、前記吸口ベースの前方近傍にはみ出した位置に鉛直軸線まわりに回転する回転ブラシを設け、この回転ブラシによって壁際床面を清掃することも考えられる。しかし、この方法では、壁際床面の塵の清掃には有効であるものの、壁際から離れた床面の塵は、前記鉛直軸線まわりに回転する回転ブラシによって、吸口ベースから離れた位置に掃き飛ばされてしまう。
【発明の開示】
【発明が解決しようとする課題】
【０００６】
したがって、本発明の目的は、壁際から離れた床面の塵を掃き飛ばさないものでありながら、壁際床面を確実に清掃することができる電気掃除機を提供することである。
【課題を解決するための手段】
【０００７】
前記目的を達成するために、本発明に係る電気掃除機は、床面を走行可能な掃除機本体と、吸入した空気の空気流に乗せて塵を吸い上げて集塵する吸口ベースとを備え、前記吸口ベースは、前記掃除機本体と共に床面を走行し、かつ、走行方向に直交する幅方向の両端部が前記掃除機本体の幅方向の両端から突出する大きさを有し、この吸口ベースは、概ね水平な軸線のまわりに回転しながら床面に接触して当該床面の塵を前方に掻き上げる回転ブラシと、この回転ブラシを前記軸線のまわりに回転させる駆動機構と、前記回転ブラシで床面から前方に掻き上げられた塵を空気流に乗せて塵の吸引口に導く流体通路とを備えている電気掃除機において、前記吸口ベースには、該吸口ベースの少なくとも幅方向の一端から幅方向の外側に突出すると共に、前記駆動機構によって前記軸線のまわりに回転する壁際ブラシが設けられている。
【０００８】
本発明の電気掃除機によれば、掃除機本体と共に吸口ベースが床面を走行する際に、吸口ベースに設けた駆動機構によって回転ブラシが概ね水平な軸線のまわりに（ブラシ軸のまわりに）回転して床面の塵を前方に掻き上げる。床面から掻き上げられた塵は、流体通路で吸引口に吸引されている空気流に混合される。前記塵と空気流との混合流体は流体通路により案内されて塵の吸引口まで導かれて（流下して）、当該塵の吸引口に吸い込まれて吸口ベースの外部に吸い出される。
一方、壁際ブラシは、吸口ベースの少なくとも幅方向の一端から外側に突出した状態で前記軸線のまわりに回転するので、吸口ベースが壁面に当接した状態又は当接するのを避けた状態で、壁際床面の塵および壁面下端部の塵を清掃することができる。
【０００９】
本発明の態様においては、前記壁際ブラシは前記軸線に沿って設けられた軸部を有し、前記軸部の外周には、該軸部の径方向の外方に向って延設された１ないし複数の刷毛部と、前記軸部の周方向において前記刷毛部に隣接する無毛部とが設けられ、前記刷毛部は、前記床面に接触する状態において、前記軸部の軸方向の基端部から外端部に近づくに従って、前記軸部の回転方向の遅れ位置から進み位置に配置されるように斜めに設けられている。
この態様によれば、壁際ブラシの刷毛部が吸口ベースの前方内側に向って塵を寄せ集めるように配置されているので、壁際以外の床面を清掃する場合でも、吸口ベースから離れた位置に塵を撒き散らしてしまうことがない。
【００１０】
この場合、たとえば、前記壁際ブラシの刷毛部は、壁際ブラシ軸の外周面から径外方向にのばして設けた列状の床面清掃刷毛部と、前記壁際ブラシ軸の軸方向外端面から軸方向外側にのばして設けた列状の壁面清掃刷毛部とを備え、前記列状の床面清掃刷毛部は、前記列状の壁面清掃刷毛部側から反対側にかけて前記壁際ブラシ軸の回転方向の進み位置から遅れ位置に変位する傾斜線上に設けられている。
これによると、壁際ブラシの回転により、壁際床面の塵は、列状の床面清掃刷毛部により、傾斜線の傾斜角に相当する内向きの傾斜角で壁際床面から内側に寄せ集められる。また、壁面下端部の塵は、列状の壁面清掃刷毛部によって掃き取られて壁際床面に落下し、前記壁際床面の塵に混入して列状の床面清掃刷毛部により壁際から離れた床面側に寄せ集められる。さらに、壁際ブラシが壁際から離れていても、壁際から離れた床面の塵を掃き飛ばすことなく、回転ブラシ側に向けて寄せ集めることができる。
【００１１】
また、本発明においては、前記吸口ベースの幅方向の略中央部に、前記塵の吸引口と、空気を導入する導入部とを設けると共に、前記導入部から導入された空気を前記吸口ベースの両端部に導いた後、前記流体通路に導くダクトを設け、前記ダクトを流れた空気が前記両端部においてＵターンするように向きを変えた後、前記流体通路の両端部から前記吸口ベースの幅方向の略中央部に設けられた前記塵の吸引口に向って流れるようにしてもよい。
このようにすれば、吸口ベースの幅方向の長さが大きくても、前記壁際ブラシで掻き上げられた塵を効率よく吸引することができる。
【００１２】
この場合、たとえば、吸口ベースには、前記流体通路を流下している前記塵と空気流との混合流体に前記吸引口への押し込み力を負荷する送風手段と、この送風手段の吐出風を前記流体通路に導くダクトが設けられている。
これによると、送風手段の吐出風をダクトによって流体通路に導いて、当該流体通路を流下している混合流体に吸引口への押し込み力として風圧を作用させて、混合流体を確実に吸引口に吸い込ませることができる。
【００１３】
さらに、本発明においては、前記吸口ベースにおける前記壁際ブラシの前側に、当該壁際ブラシで床面から掻き上げられた塵の浮き上がりを許容すると共に、浮き上がった塵が前記流体通路に導かれるのを許容する許容凹所を前記吸口ベースの下面に形成してもよい。
このようにすれば、前記壁際ブラシで掻き上げられた塵が前記許容凹所を通って流体通路に導かれるので、壁際床面の清掃を確実に行うことができる。
【００１４】
一方、壁際ブラシの前側には、当該壁際ブラシで床面から掻き上げられた塵の浮き上がりを許容するとともに、浮き上がった塵を前記流体通路に導く案内流路を設けてもよい。これによると、壁際ブラシで掻き上げられた壁際床面の塵を案内流路から流体通路に導いて、当該流体通路を流下している混合流体に混合させて、吸引口に向かって流下させることができる。このため、壁際床面の塵が壁際ブラシで床面から掻き上げられた直後に他部材に衝突して、再度、壁際床面に落下する不具合を回避することができる。
【発明の効果】
【００１５】
本発明によれば、吸口ベースの少なくとも幅方向の一端から外側に突出した状態で概ね水平な軸線のまわりに回転する壁際ブラシによって、吸口ベースが壁面に当接するのを避けた状態で、壁際床面の塵を確実に清掃することができる。
【発明を実施するための最良の形態】
【００１６】
以下、本発明に係る電気掃除機の実施形態を図面にしたがって説明する。
図１は電気掃除機の実施形態を示す全体斜視図である。
図１に示す電気掃除機は、掃除機本体１と、吸口ベース２とを備えている。
掃除機本体１は、床面３の走行を可能に構成されており、この掃除機本体１の後部には、当該掃除機本体１に追従して床面３の走行を可能に吸口ベース２が連結されている。また、掃除機本体１には、塵を捕集する集塵部４や、この集塵部４の内部に対して図示されていないフィルタを介して連通する空気吸引手段（図示省略）などが搭載されている。
【００１７】
吸口ベース２は、掃除機本体１の走行方向（矢印Ｙ）に直交する幅方向（矢印Ｘ）の両端部２Ｌ，２Ｒが掃除機本体１の幅方向両端から少しはみ出す大きさのもので、図２に示すように、幅方向に長い横長のベース部２０と、このベース部２０を上側から着脱可能に覆うカバ−２１とを備えている。図１に示すように、カバ−２１によってベース部２０が覆われた組立状態で、ベース部２０とカバ−２１の周囲はバンパ５により取り囲まれている。
【００１８】
図２に示すように、吸口ベース２のベース部２０は、その上面の全てが段差付き蓋板２２によって閉塞されて下側を開口してある。段差付き蓋板２２は、横断面Ｌ字状の前側閉塞部２２ａと横断面逆向きＬ字状の後側閉塞部２２ｂとを有している。両者２２ａ，２２ｂは、ベース部２０における走行方向Ｙの略中央部において幅方向Ｘの略全長にのびて直線状に設けられた段差部２２ｃを境界に前後に振り分けられており、前側閉塞部２２ａのレベル（高さ）を後側閉塞部２２ｂのレベル（高さ）よりも高く設定してある。
【００１９】
前側閉塞部２２ａの下側には、間隔を隔てて仕切板２２ｄが対向して設けられ、前側閉塞部２２ａと仕切板２２ｄおよび段差部２２ｃとで取り囲まれる角形閉断面構造のダクト６が幅方向略全長にのびて設けられている。また、後側閉塞部２２ｂの下側には、ダクト６に平行にブラシ収容室７が設けられている。このブラシ収容室７の前側で、かつ、ダクト６の下側には、図３に示す混合流体通路８がブラシ収容室７に平行して幅方向略全長にわたって設けられている（ただし、図３には、幅方向の一部のみが示されている）。混合流体通路８の幅方向両端部８Ｌ，８Ｒ（ただし、図３には、混合流体通路８の幅方向一端部のみが示されている）は、下向きの隆起部９に形成したＵ字状の透孔９ａを介してダクト６の幅方向両端部６Ｌ，６Ｒに連通している。
【００２０】
図２に示すように、前側閉塞部２２ａの幅方向中央部には、ダクト６に通じる角形の開口部２２ｅが設けられ、この開口部２２ｅは、たとえばシロッコフアンなどの送風機からなる送風手段（導入部）１０の吐出口１０ａによって塞がれ、送風手段１０の吸込口１０ｂは、ベース部２０の前側に向けて開口している。また、後側閉塞部２２ｂの幅方向中央部を貫通して、ブラシ収容室７に通じる貫通孔（図示省略）が設けられ、この貫通孔を塞いで塵の吸引口１１が取付けられている。そして、前記混合流体通路８の幅方向中央部は吸引口１１の入口に連通させ、吸引口１１の出口は、図１に示すように、吸引ホース１２を介して集塵部４の入口に連通させてある。
【００２１】
図２，図３に示すように、ブラシ収容室７には、概ね水平な軸線Ｃ１のまわりに回転自在に支持された回転ブラシ１３が収容される。この回転ブラシ１３は、図１に示す床面３に接触して、当該床面３の塵を前方に掻き上げるためのもので、回転ブラシ軸１３ａ周面から径外方向にのばした二条の床面清掃刷毛部１３ｂを有している。これら床面清掃刷毛部１３ｂは、大きいリードを有して螺旋状に設けられている。すなわち、床面清掃刷毛部１３ｂは、塵を前方に掻き上げられるように回転ブラシ軸１３ａの軸方向の全長にわたって螺旋状に設けられている。
【００２２】
回転ブラシ１３は、図２、図４および図５に示すように、回転ブラシ軸１３ａの両端部に取付けた一対のカップリング１４Ａ，１４Ｂの外端部が、左右一対のブラケット１５Ａ，１５Ｂに取付けられている軸受メタル１６内部のベアリング１７によって回転自在に支持されている。左右一対のブラケット１５Ａ，１５Ｂは、後側閉塞部２２ｂの幅方向両端部を上下に貫通してブラシ収容室７に臨ませた状態で当該後側閉塞部２２ｂに取付けられている。
【００２３】
また、一方のブラケット１５Ａには、上方への延出片１５ａが設けられ、この延出片１５ａに回転ブラシ駆動モータ１８が水平軸線を有して取付けられており、回転ブラシ駆動モータ１８と、当該回転ブラシ駆動モータ１８の出力軸１８ａに取付けられている駆動プーリ１９Ａと、タイミングベルト１９Ｂおよび打ち込み連結ピン２３を介して一方のカップリング１４Ａに同時回転可能に連結されている従動プーリ１９Ｃとで、回転ブラシ１３を前記軸線Ｃ１のまわり（矢印Ｒ）に回転させる駆動機構１９が構成されている。
【００２４】
図２、図３、図４および図５に示すように、回転ブラシ１３の軸方向両端部には、壁際ブラシ２４Ｌ，２４Ｒが同じ水平軸線Ｃ１まわり（矢印Ｒ）の回転を可能に取付けられて、吸口ベース２を取り囲んでいるバンパ５の幅方向両端部から外側に突出している。壁際ブラシ２４は、図６および図７に示すように、壁際ブラシ軸（軸部）２４Ａと、刷毛部２４Ｂとを備え、壁際ブラシ軸２４Ａの水平な中心線上に連結ピン圧入孔２４ａが設けられている。この連結ピン圧入孔２４ａに、図５に示す打ち込み連結ピン２３における外端部を圧入することで、駆動機構１９によって壁際ブラシ２４を回転ブラシ１３と同時に同じ水平軸線Ｃ１まわり（矢印Ｒ）に回転させるように構成してある。
【００２５】
図６および図７に示すように、壁際ブラシ２４の刷毛部２４Ｂは、壁際ブラシ軸２４Ａの中心Ｏを通る直線Ｃ１上に位置して、当該壁際ブラシ軸２４Ａの軸方向外端面２４ｂから軸方向外側にのばして設けた列状の壁面清掃刷毛部２４ｂ１と、この列状の壁面清掃刷毛部２４ｂ１の上下両端に連続して壁際ブラシ軸２４Ａの外周面２４ｃから径外方向にのばして設けた上下一対の列状の床面清掃刷毛部２４ｂ２とを備えている。これら列状の床面清掃刷毛部２４ｂ２は、列状の壁面清掃刷毛部２４ｂ１側から反対側にかけて、つまり、壁際ブラシ軸２４の軸方向外端面２４ｂから反対側にかけて、壁際ブラシ軸２４Ａの回転方向Ｒの進み位置から遅れ位置に変位する傾斜線Ｃ２上に設けてある。
【００２６】
すなわち、図６および図７に示すように、走行方向Ｙに対して左側の壁際ブラシ２４Ｌは、前記刷毛部２４ｂ２が、床面３に接触する状態において、前記壁際ブラシ軸２４Ａの基端部４１から外端部４２に近づくに従って、前記回転方向Ｒの遅れ位置から進み位置に配置されるように斜めに設けられていることで、左ネジの回転方向に沿った螺旋状に配置されている。
【００２７】
なお、図４および図５に示すように、前記左側の壁際ブラシ２４Ｌに対して、右側の壁際ブラシ２４Ｒは、右ネジの回転方向に沿った螺旋状に前記刷毛部２４ｂ２が配置されている。右側の壁際ブラシ２４Ｒのその他の構造は、左側の壁際ブラシ２４Ｌと同様であるため、その詳しい説明を省略する。
【００２８】
また、図３に示すように、混合流体通路８の幅方向両端部８Ｌ，８Ｒ（ただし、図３には、混合流体通路８の幅方向一端部のみが示されている）に形成した下向きの隆起部９の幅方向外側から前側にかけて、当該隆起部９の下向きの隆起量よりも十分に小さい下向きの隆起量を有するＬ字状の下向き平坦面２５が形成されている。吸口ベース２にバンパ５を取付けた際に、バンパ５の内面と、Ｌ字状の平坦面２５の下面および下向きの隆起部９の外面とで下向きに開口した横断面コ字状の案内流路（許容凹所）２６が構成される。なお、図中２７は走行輪を示す。
【００２９】
前記構成の作動について説明する。
図１に示す掃除機本体１と吸口ベース２が床面３を矢印Ｙ方向に走行する。この際、掃除機本体１に搭載されている空気吸引手段（図示省略）と、図２に示す吸口ベース２に設けた送風手段１０および駆動機構１９が起動する。前記空気吸引手段の起動によって、図２および図３に示す吸口ベース２のブラシ収容室７の前側および当該ブラシ収容室７内の空気は、図１に示す吸口ベース２の吸引口１１→吸引ホース１２→集塵部４の経路で、図示されていない空気吸引手段に吸引される。
【００３０】
前記駆動機構１９の起動によって、図２および図３に示す回転ブラシ１３がブラシ軸１３ａまわりの矢印Ｒ方向に回転して、床面３の塵を前方に掻き上げる。床面３から掻き上げられた塵は、混合流体通路８に沿って吸引口１１に吸引されている空気流に混合して吸引口１１に吸い込まれ、図１に示す吸引ホース１２を経て集塵部４に到達する。ここでフィルタ（図示省略）により塵が捕集され、吸引空気流のみが図示されていない空気吸引手段に吸引されて機外に排気される。
【００３１】
回転ブラシ１３と同時に左右一対の壁際ブラシ２４がその壁際ブラシ軸２４ａまわりの矢印Ｒ方向に回転する。これら壁際ブラシ２４は、吸口ベース２の幅方向両端２Ｌ，２Ｒから水平軸線Ｃ１を有してバンパ５の外側に突出した状態で回転するので、バンパ５が壁面（図示省略）に当接した状態又は当接するのを避けた状態で、図２の壁際床面３ａの塵および壁面下端部の塵を清掃することができる。
【００３２】
図６および図７に示すように、壁際ブラシ２４Ｌ，２４Ｒの刷毛部２４Ｂにおける上下一対の列状の床面清掃刷毛部２４ｂ２は、壁際ブラシ軸２４Ｌ，２４Ｒの軸方向外端面２４ｂから反対側にかけて、壁際ブラシ軸２４Ａの回転方向Ｒの進み位置から遅れ位置に変位する傾斜線Ｃ２上に設けられているので、図２に示す壁際床面３ａの塵は、図６および図７に示す列状の床面清掃刷毛部２４ｂ２により、傾斜線Ｃ２の傾斜角θに相当する内向きの傾斜角θ（図４参照）で、図２に示す壁際床面３ａから床面３側に寄せ集められる（図４の矢印Ｆ参照）。また、図示されていない壁面下端部の塵は、列状の壁面清掃刷毛部２４ｂ１によって掃き取られて壁際床面３ａに落下し、壁際床面３ａの塵に混入して列状の床面清掃刷毛部２４ｂ２により壁際床面３ａから床面３側に寄せ集められる。このように、壁際から離れた床面３側に寄せ集められた塵は、回転ブラシ１３によって前方に掻き上げられたのち、混合流体通路８で吸引口１１に吸引されている空気流に混合して吸引口１１に吸い込まれて集塵部４で捕集される。さらに、壁際ブラシ２４が壁際から離れていても、壁際から離れた床面３の塵を掃き飛ばすことなく、回転ブラシ１３側に向けて寄せ集めることができる。
【００３３】
図２および図３に示す吸口ベース２には、混合流体通路８を流下している塵と空気流との混合流体に吸引口１１への押し込み力を負荷する送風手段１０と、この送風手段１０の吐出風を混合流体通路８に導くダクト６が設けられている。つまり、送風手段１０の吐出風は、図３の矢印Ａで示すように、ダクト６の幅方向両端部から下向きの隆起部９に形成したＵ字状の透孔９ａを通ってＵターンするように向きを変えた後、混合流体通路８に導かれる。これにより、混合流体通路８を流下している混合流体に吸引口１１への押し込み力として風圧を作用させて、混合流体を確実に吸引口１１に吸い込ませることができる。すなわち、混合流体通路８における吸引口１１から離れた幅方向両端部８Ｌ，８Ｒあるいはその近傍位置で吸引口１１に向けて流下している混合流体に対して、送風手段１０の吐出風圧を押し込み力として作用させて、混合流体を確実に吸引口１１に吸い込ませる。
【００３４】
図３に示すように、壁際ブラシ２４の前側には、当該壁際ブラシ２４で床面から掻き上げられた塵の浮き上がりを許容するとともに、浮き上がった塵を混合流体通路８に導く案内流路２６が設けられているので、壁際ブラシ２４で掻き上げられた壁際床面３ａの塵を案内流路２６から混合流体通路８に導いて、当該混合流体通路８を流下している混合流体に混合させて、吸引口１１に向かって流下させることができる。このため、壁際床面３ａの塵が壁際ブラシ２４で床面３ａから掻き上げられた直後に他部材に衝突して、再度、壁際床面３ａに落下する不具合を回避して、壁際床面３ａの塵を確実に清掃することができる。
【００３５】
前記実施形態では、回転ブラシ１３の左右両端部に壁際ブラシ２４を水平軸線Ｃ１まわり（矢印Ｒ）の回転を可能に取付けて、吸口ベース２を取り囲んでいるバンパ５の幅方向両端部から外側に突出させた構造で説明しているが、回転ブラシ１３の左右いずれか一方の端部に壁際ブラシ２４を水平軸線Ｃ１まわり（矢印Ｒ）の回転を可能に取付けて、吸口ベース２を取り囲んでいるバンパ５の幅方向一端部から外側に突出させた構造であってもよい。
【００３６】
また、壁際ブラシ２４の刷毛部２４Ｂは、図６および図７のように、壁面清掃刷毛部２４ｂ１によって、２つの床面清掃刷毛部２４ｂ２が連続するように設けなくてもよい。たとえば、壁面清掃刷毛部２４ｂ１の一部ないし全部を無くして、床面清掃刷毛部２４ｂ２を２つに分けて設けるようにしてもよい。
また、床面清掃刷毛部２４ｂ２は、１つでもよいし、３つ以上設けてもよい。
さらに、図６や図７では、刷毛部２４Ｂを模式的に板状に図示したが、刷毛部２４Ｂは、厚みのある束状に設けるようにしてもよい。
【図面の簡単な説明】
【００３７】
【図１】電気掃除機の実施形態を示す全体斜視図である。
【図２】吸口ベースの実施形態をベース部とカバ−に分解して示す斜視図である。
【図３】図２の吸口ベースの幅方向の一端部側を下側から見て拡大して示す斜視図である。
【図４】回転ブラシと壁際ブラシおよび駆動機構の実施形態を示す斜視図である。
【図５】図４の回転ブラシと壁際ブラシおよび駆動機構を分解して示す斜視図である。
【図６】壁際ブラシの実施形態を拡大して示す斜視図である。
【図７】図６の壁際ブラシをブラシ軸と刷毛部に分解して示す斜視図である。
【符号の説明】
【００３８】
１：掃除機本体
２：吸口ベース
３：床面
６：ダクト
８：混合流体通路
１０：送風手段（導入部）
１１：塵の吸引口
１３：回転ブラシ
２４：壁際ブラシ
２４Ａ：壁際ブラシ軸（軸部）
２４ｂ２：列状の床面清掃刷毛部（刷毛部の一例）
２６：案内流路（許容凹所）
２９：無毛部
４１：基端部
４２：外端部
Ｃ１：水平な軸線
Ｃ２：傾斜線
矢印Ｒ：ブラシの回転方向
矢印Ｘ：電気掃除機の幅方向
矢印Ｙ：電気掃除機の走行方向
【図１】
2005245916.tif 000003
【図２】
2005245916.tif 000004
【図３】
2005245916.tif 000005
【図４】
2005245916.tif 000006
【図５】
2005245916.tif 000007
【図６】
2005245916.tif 000008
【図７】
2005245916.tif 000009